(57)【要約】  【課題】  簡素な構造からなり、軽量で片手にて容易に保持することができ、片手による操作性に秀れる上、簡単且つ確実に刈り取った茎系植物を保持し、しかも保持した茎系植物を簡単に取り外して収穫することができる新たな収穫器具技術を提供する。  【解決手段】  、鎌１使用時に地面がわとなる刀身２裏面２０、および、天空がわとになる刀身２表面２１の中、該刀身２表面２１がわの方に、その刃元２２付近から切っ先２４付近に掛けての峰２６がわに寄った位置で、同表面２１に対して６０°ないし１２０°、最適には９０°前後とする所定角度αで交叉する面内に納まり、且つその表面２１との間に所定の保持間隔５１を確保可能な形状・寸法として形成したホルダー枠５を突設してなる収穫鎌１である。【選択図】    図８
2014128199.tif 000002
【特許請求の範囲】
【請求項１】
鎌使用時に地面がわとなる刀身裏面、および天空がわとになる刀身表面の中、該刀身表面がわの方に、その刃元付近から切っ先付近に掛けての峰がわに寄った位置で、同表面に対して所定角度で交叉する面内に納まり、且つその表面との間に所定の保持間隔を確保可能な形状・寸法として形成したホルダー枠を突設してなるものとしたことを特徴とする収穫鎌。
【請求項２】
鎌使用時に地面がわとなる刀身裏面、および天空がわとになる刀身表面の中、該刀身表面がわの方に、その刃元付近から切っ先付近に掛けての峰がわに寄った位置で、同表面に対して所定角度で交叉する面内に納まり、且つその表面との間に所定の保持間隔を確保可能な形状・寸法として形成したホルダー枠を突設し、これを装着した鎌で茎系植物を、刈り取った瞬間に、穂先がわの重みによって倒れようとするモーメント力を利用し、茎系植物の根元寄りを、該刀身表面とホルダー枠との間に掛止状に保持可能としてなるものとしたことを特徴とする収穫鎌。
【請求項３】
鎌刀身表面に対する、ホルダー枠の納まる面の所定角度が、６０°ないし１２０°、最適には９０°前後とするよう設定してなるものとした、請求項１または２何れか一方記載の収穫鎌。
【請求項４】
ホルダー枠を突設する峰がわに寄った位置が、鎌刀身の刃先を支点にして茎系植物の茎部の保持が可能であり、切り取った茎を掬い込む操作に支障がない位置とするよう設定してなるものとした、請求項１ないし３何れか一項記載の収穫鎌。
【請求項５】
ホルダー枠が、装着対象鎌の刀身刃元から切っ先に掛けた全長中、中途適所の１箇所かまたは複数箇所かの何れかに、該刀身表面との保持間隔を狭めた挟持枠部を設けてなるホルダー枠を組み込み可能としてなるものとした、請求項１ないし４何れか一項記載の収穫鎌。
【請求項６】
ホルダー枠が、装着対象鎌の刀身刃元から切っ先に掛けた全長中、中途適所の１箇所かまたは複数箇所かの何れかに、該刀身表面との保持間隔を拡大してなるキャッチ枠部を設けてなる、請求項１ないし５何れか一項記載の収穫鎌。
【請求項７】
鎌刀身に、作業者が立ち姿勢にて地上の植物を刈り取り収穫可能な程度に長尺な柄を一体化してなる、請求項１ないし７何れか一項記載の収穫鎌。
【請求項８】
鎌の刀身刃元付近適所に固定可能な固定機構を設け、該固定機構を介して、鎌使用時に地面に面する刀身裏面、および、空に向かう刀身表面の中、該刀身表面がわ刃元付近適所に固定した場合に、刀身表面の刃元付近から切っ先付近に掛けて、刃先にて刈り取った茎系植物を、瞬時に保持可能とするよう、該刀身表面との間に保持間隔を確保可能な形状・寸法としたホルダー枠を組み込み可能としてなるものとした、請求項１ないし７何れか一項記載の収穫鎌に利用する収穫用ホルダー。
【請求項９】
地上に立ち姿勢となり、鎌の柄を把持した作業者が、鎌刀身の刃先を、地上に立ち生えた茎系植物の根元付近適所に対応させて掬うよう刈り取り、刈り取った瞬間に穂先がわの重みによって倒れ込もうとするモーメント力を利用し、茎系植物の根元付近を、自動的に鎌刀身表面とホルダー枠との間に掛止状に引っ掛けた後、立ち姿勢のままの作業者が、茎系植物を保持した鎌刀身・ホルダー枠を手元に引き上げて、茎系植物の掛止を外し収穫するようにしてなる、請求項１ないし７何れか一項記載の収穫鎌、または、請求項８記載の収穫用ホルダーの何れか一方を利用する収穫方法。                                                              
【発明の詳細な説明】
【技術分野】
【０００１】
この発明は、茎系植物などの収穫技術に関連するものであり、特に、作業者が立ったままの姿勢で、地上の茎系植物類を効率的に収穫可能とする農機具や園芸用品、アウトドア用品などを製造、販売する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                                                      
【背景技術】
【０００２】
（着目点）
立茎栽培したアスパラガスなどの茎系農作物を収穫する作業は、地上に生長した茎の根元付近に、アスパラガス収穫用鎌の刃先を対応させて、１本１本丁寧に刈り取るようにして収穫するため、しゃがみ込み、腰を屈めた姿勢を長時間に渡って続けなければならないため、足腰に大きな負担が掛かる上、屈み込んだ際には、アスパラガスの葉が目に入るなどと非常に煩わしく、また、刈り取る際にも、アスパラガスが地上に倒れないよう茎部を掴みながら刈り取らなければならないといった具合に、労働負担が大きい割に収穫作業の効率を高めるのが難しいという課題があった。
【０００３】
（従来の技術）
こうした状況を反映し、その打開策となるような提案もこれまでに散見されない訳ではない。
例えば、下記の特許文献１（１）に提案されているものに代表されるように、鎌刀身に通常よりも長い柄を取付け、作業者が立ち姿勢のまま農作物を刈り取り可能としたものや、特許文献１（２）ないし１（５）に見られるように、立ち姿勢の作業者が刈り取った茎系植物を挟持可能としたもの、あるいは、特許文献１（６）に示されているもののように、立ち姿勢の作業者が操作し、電動モータによって駆動する回転カッターが刈り取った茎系植物を、所定の収納筒部内に収容可能としてなるものなど、幾つかが散見される。
【０００４】
しかし、前者特許文献１（１）に示されているような長い柄の先に鎌刀身を取り付けるようにしたものは、刈り取った農作物が地上に落下、設置してしまうため、農作物を傷めたり、汚したりしてしまう虞があり、特に、アスパラガスの収穫には利用できないという欠点があり、また、特許文献１（２）ないし１（５）のように、刈り取った農作物を掻き込み状に保持したり、挟み込んで保持したりするようなものは、何れも複雑な把持機構が不可欠なものとなって部品点数および重量の増加が避けられず、レバー操作によって茎系植物を切断した後、その収穫植物を保持し続けるには、レバーの握持閉鎖を維持したままにする必要があり、収穫植物を取り外すときに、レバーの握持を解いて解放しなければならないものとなっていることから、作業者にかなりの負担を強いるものとなってしまう虞があり、何よりも複雑な構造故に価格の高騰を招いてしまうという課題を残すものであり、そして、最後の特許文献１（６）に示されているものについても、電動モータ駆動による回転カッターなどによって重量が嵩むものとなる上、電力供給のための電源コードの取り回しやバッテリーの搭載・交換が不可欠となってしまうなど、広大な圃場の収穫作業に利用する場合などには、必ずしも作業者の負担を軽減できるものとはならないという致命的な問題を抱えていた。                                                                          
【特許文献１】（１）特開平１１−２２０９１６号公報    （２）特開２００４−７３１３５号公報    （３）特開２０１２−１０５６２３号公報    （４）実開平５−２９３３２号公報    （５）実開平７−３０６３１号公報    （６）特開２００４−１４７５５８号公報
【発明の概要】
【発明が解決しようとする課題】
【０００５】
（問題意識）
上述したとおり、従前までに提案のある各種の茎系植物用などの収穫用器具類は、何れも収穫作業の際に、作業者が、しゃがんだり、屈み込んだりする必要を無くし、立ち姿勢のままで収穫作業を行えるものとしているが、鎌などによって刈り取ったり、鋏を使って切断したりした収穫作物を、地面に落下させずに収穫するよう掻き込み保持したり、把持したり、収納室に収容したりするといった保持または収納機構を組み込んでなるものなどは、特に、その動作機構が複雑化してしまって製造コストを高騰させ、部品点数の増加によって耐久強度が低下してメンテナンスコストを増加させてしまう上に、重量が嵩み運搬・移動の作業負担を増加してしまうという課題が残るものであり、こうした状況に憂慮した本願出願人は、永年に渡り農業に携わってきた経験から、こうした労働負担や、経費負担を軽減することができるようにと、軽量且つ簡素な構造でありながら、刈り取った茎系植物を地上に落下させることなく確実に保持し、特別な操作を必要とせずとも保持した茎系植物を簡単に取り外して収穫篭に移すことができるようにする新たな収穫用器具類の実用化が不可欠であるとの考えに至った。
【０００６】
（発明の目的）
そこで、この発明は、簡素な構造からなり、軽量で片手にて容易に保持することができ、片手による操作性に秀れる上、容易且つ確実に刈り取った茎系植物を保持し、しかも保持した茎系植物を簡単に取り外して収穫することができる新たな収穫器具技術の開発はできないものかとの判断から、逸速くその開発、研究に着手し、長期に渡る試行錯誤と幾多の試作、実験とを繰り返してきた結果、今回、遂に新規な構造の収穫鎌、それに利用する新規な構造の収穫用ホルダー、およびそれらを利用する新規な収穫方法を実現化することに成功したものであり、以下では、図面に示すこの発明を代表する実施例と共に、その構成を詳述することとする。                                                                                                
【課題を解決するための手段】
【０００７】
（発明の構成）
図面に示すこの発明を代表する実施例からも明確に理解されるように、この発明の収穫鎌は、基本的に次のような構成から成り立っている。
即ち、鎌使用時に地面がわとなる刀身裏面、および天空がわとになる刀身表面の中、該刀身表面がわの方に、その刃元付近から切っ先付近に掛けての峰がわに寄った位置で、同表面に対して所定角度で交叉する面内に納まり、且つその表面との間に所定の保持間隔を確保可能な形状・寸法として形成したホルダー枠を突設してなるものとした構成を要旨とする収穫鎌である。
【０００８】
この基本的な構成からなる収穫鎌は、その表現を変えて示すならば、鎌使用時に地面がわとなる刀身裏面、および、天空がわとになる刀身表面の中、該刀身表面がわの方に、その刃元付近から切っ先付近に掛けての峰がわに寄った位置で、同表面に対して所定角度で交叉する面内に納まり、且つその表面との間に所定の保持間隔を確保可能な形状・寸法として形成したホルダー枠を突設し、これを装着した鎌にて茎系植物を、刈り取った瞬間に、穂先がわの重みによって倒れようとするモーメント力を利用し、茎系植物の根元寄りを、該刀身表面とホルダー枠との間に掛止状に保持可能としてなるものとした構成からなる収穫鎌となる。
【０００９】
（関連する発明１）
上記した収穫鎌に関連し、この発明には、それを利用した収穫用ホルダーも包含している。
即ち、鎌の刀身刃元付近適所に固定可能な固定機構を設け、該固定機構を介して、鎌使用時に地面に面する刀身裏面、および、空に向かう刀身表面の中、該刀身表面がわ刃元付近適所に固定した場合に、刀身表面の刃元付近から切っ先付近に掛けて、刃先にて刈り取った茎系植物を、瞬時に保持可能とするよう、該刀身表面との間に保持間隔を確保可能な形状・寸法としたホルダー枠を組み込み可能としてなるものとしたこの発明の基本をなす収穫鎌に利用する収穫用ホルダーである。
【００１０】
（関連する発明２）
上記した収穫鎌およびそれに利用する収穫用ホルダーに関連し、この発明には、それらを利用した収穫方法も包含している。
即ち、地上に立ち姿勢となり、鎌の柄を把持した作業者が、鎌刀身の刃先を、地上に立ち生えた茎系植物の根元付近適所に対応させて掬うよう刈り取り、刈り取った瞬間に穂先がわの重みにて倒れ込もうとするモーメント力を利用し、茎系植物の根元付近を、自動的に鎌刀身表面とホルダー枠との間に掛止状に保持させた後、立ち姿勢のままの作業者が、茎系植物を保持した鎌刀身・ホルダー枠を手元に引き寄せ、茎系植物の掛止を外して収穫するようにしてなる、この発明の基本をなす収穫鎌、または、収穫用ホルダーの何れか一方を利用する収穫方法である。                                                                                      
【発明の効果】
【００１１】
以上のとおり、この発明の収穫鎌によれば、従前までのものとは違い、上記したとおりの固有の特徴ある構成から、部品点数が少なくシンプル且つ軽量な上、耐久性に秀れており、前述したような従前までの複雑な把持機構を有し、部品点数および重量が嵩み、操作が複雑な収穫機器類に比較して、構造を大幅に簡素化し、格段に軽量化して一般的な鎌と略同等の重量に抑えることができ、特別な挟持操作など一切不要とし、格段に操作性の秀れたものとすることができ、この発明の収穫方法に利用し、アスパラガスやワラビ、ゼンマイなどの茎系植物としての農作物や山菜などを収穫しようとする作業者が、地上に立ったままの姿勢や、野山を歩行しながらなどと、様々な態勢にて該収穫鎌を容易に操作し、その刀身刃先によって茎系植物の根元付近を掬うように切断した瞬間に、ホルダー枠が収穫鎌刀身との間に確保した保持間隔に、傾斜姿勢となった茎系植物の根元付近を落とし込むように滑り込ませた上、同ホルダー枠の一方にて上がわから抑え込むよう掛止すると共に、同ホルダー枠のこれとは反対がわの他方にて同根元付近よりも僅かに穂先寄りの部分を下がわから支えるように引っ掛けて、該茎系植物が倒れ込もうとするモーメント力を利用し、茎系植物の横転や落下を阻止するよう自動的に掛止するものとなり、作業者は、収穫鎌を把持する手とは反対がわの手に、茎系植物を保持した収穫鎌刀身を引き寄せて該茎系植物の穂先寄りの適所を掴み、当該モーメント力を打ち消す方向に引き起こすよう掛止を解いて取り外し、収穫篭などに収め、再び、地上の茎系植物を刈り取るという作業を、楽な姿勢のまま連続的に繰り返すことができるようになり、しゃがんだり、屈み込んだりする必要を殆ど無くし、収穫作業の労働負担を大幅に改善して作業効率を格段に高めることができるという秀れた特徴が得られるものとなる。
【００１２】
加えて、鎌刀身表面に対して、ホルダー枠の納まる面の所定角度が、６０°ないし１２０°、最適には９０°前後とするよう設定してなるものとすることにより、収穫鎌刀身にて掬うように刈り取った直後の茎系植物を、一段と確実に掛止することができるものとなり、さらに、ホルダー枠を突設する峰がわに寄った位置が、鎌刀身の刃先を支点にして茎系植物の茎部の保持が可能であり、切り取った茎を掬い込む操作に支障がない位置とするよう設定してなるものとすることにより、ホルダー枠が、鎌刀身刃先による茎系植物茎部切断操作を阻害してしまうのを防止すると共に、鎌刀身刃先にて切断した茎系植物の根元付近が、ホルダー枠と収穫鎌刀身との間に確保した保持間隔に、直接的に転がり込むよう、格段に効率的に収穫することができるものとすることができる。
【００１３】
この発明の収穫鎌は、そのホルダー枠を装着対象鎌の刀身刃元から切っ先に掛けた全長中、中途適所の１箇所かまたは複数箇所かの何れかに、該刀身表面との保持間隔を狭めた挟持枠部を設けてなるものや、および／または、装着対象鎌の刀身刃元から切っ先に掛けた全長中、中途適所の１箇所かまたは複数箇所かの何れかに、該刀身表面との保持間隔を拡大してなるキャッチ枠部を設けてなるものとすることにより、鎌刀身の全長寸法に関わらず、収穫対象茎系植物のサイズに適したホルダー枠形状・寸法を実現化することができ、一段と茎系植物の掛止機能性を高め、刈り取り掛止した茎系植物の横転や落下を、より確実に防止し、しかも取り外し易さを損ねることがないという、全く新しい効果を奏するものとなり、さらに、鎌刀身に、作業者が立ち姿勢にて地上の植物を刈り取り収穫可能な程度に長尺な柄を一体化してなるものとすることによって、作業者が、膝を曲げたり、腰を屈めたりすることなく、立ったままの姿勢にて格段に効率的に収穫作業を行うことができるという、非常に特徴的な効果が得られものとなる。
【００１４】
また、この発明の収穫用ホルダーによれば、鎌の刀身刃元付近適所に設けた固定機構を介して、その刀身に一体化するよう、簡単に組み込むことが可能となり、その構造は、部品点数が少なくシンプル且つ軽量な上、耐久性に秀れており、一般に市販されている鎌にも簡単に着脱できるものとすることができ、組み込んだ収穫鎌の操作性を悪化させることなく、長時間に亘る収穫作業も軽快に継続できるものとすることができるという、秀れた特徴を発揮するものとなる。                                                                                            
【発明を実施するための最良の形態】
【００１５】
上記したとおりの構成からなるこの発明の実施に際し、その最良もしくは望ましい形態について説明を加えることにする。
収穫鎌は、作業者が地上の植物を掬うように刈り取って効率的に収穫可能なものとする機能を担い、片手で簡単に刈り取り操作可能な程度に軽量なものとしなければならず、充分に長尺な柄を鎌刀身に一体化してなるものとするのが望ましく、柄は、例えば、木製、竹製、金属パイプ製、合成樹脂製、炭素繊維強化樹脂製、ガラス繊維強化樹脂製のものなどとすることができる外、後述する実施例にも示すように、ゴルフクラブのヘッド部分を切除したシャフトを柄に利用したものとすることができ、刀身には、一般的な各種鎌用のものを利用可能であり、例えば、鋸刃や、アスパラガス収穫用の刃形状のものなどとすることができる。
【００１６】
ホルダー枠は、鎌の刀身刃先にて地上根元付近を切断した茎系植物が、地面に倒れたり、落下したりしないよう、鎌刀身表面と同ホルダー枠との間に掛止状に保持可能とする機能を分担し、鎌使用時に地面がわとなる刀身裏面、および、天空がわとになる刀身表面の中、該刀身表面がわの方に、その刃元付近から切っ先付近に掛けての峰がわに寄った位置で、同表面に対して所定角度で交叉する面内に納まり、且つその表面との間に所定の保持間隔を確保可能な形状・寸法として形成してなるものとしなければならず、鎌刀身表面に対する、ホルダー枠の納まる面の所定角度が６０°ないし１２０°、最適には９０°前後とするよう設定すべきであり、所定角度が６０°ないし１２０°の角度範囲を超えて設置するようにした場合には、刈り取った茎系植物を確実に掛止できなくなる可能性が高まり、所定角度を９０°前後としたものは、刈り取った茎系植物を確実に掛止する可能性を格段に高めることができる。
【００１７】
また、ホルダー枠を突設する峰がわに寄った位置が、鎌刀身の刃先を支点にして茎系植物の茎部の保持が可能であり、切り取った茎を掬い込む操作に支障がない位置とするよう設定してなるものとすべきであり、さらにまた、装着対象鎌の刀身刃元から切っ先に掛けた全長中、中途適所の１箇所か、または複数箇所かの何れかに、該刀身表面との保持間隔を狭めた挟持枠部を設けてなるものとしたり、装着対象鎌の刀身刃元から切っ先に掛けた全長中、中途適所の１箇所か、または複数箇所かの何れかに、該刀身表面との保持間隔を拡大するようにしたキャッチ枠部を設けてなるものとしたりすることができ、より具体的には、ホルダー枠が、棒状、パイプ状、帯状、板状、網状、またはそれらの組み合わせからなる素材製などとすることが可能であり、金属製、合成樹脂製、天然ゴム製、木製、竹製、それらの組み合わせ、または、それらに置き換え可能な素材製のものとすることが可能であり、表面に茎系植物の掛止力を高めるような凹凸形状や鈎状、起毛状、枝状、節状、それらの組み合わせ、またはその他形状などの摩擦形状や、発泡樹脂、軟質樹脂、天然ゴム、布、紐、糸、不織布、フェルト、それらの組み合わせ、または、それらに置き換え可能な摩擦素材などを設けたものとすることができ、後述する実施例に示すように、針金を折り曲げ加工したものとするのが良く、特に、適度な摩擦係数をもつ合成樹脂皮膜によって覆われた銅線やアルミニウム線などの絶縁電線であって、より線ではなく、柱形細棒状の１本の金属線を合成樹脂被膜にて被覆してなる電線を所望の形状に折り曲げ加工してなるものとすることができる。
【００１８】
収穫用ホルダーの固定機構は、鎌の刀身刃元付近適所にホルダー枠を刀身表面の刃元付近から切っ先付近に掛けて対峙するよう配置・固定可能とする機能を担い、鎌の刀身適所にホルダー枠を適宜姿勢に確りと固定可能なものとし、収穫作業の邪魔にならぬよう、刀身切っ先がわには取付け金具やボルト・ナットなどの大きな部品を装着せず、そうした大きな部品を設ける場合には、刀身刃元から切っ先間の中央付近から刃元付近の適所の範囲内に配するものとするのが良く、鎌の刀身刃元付近に、直接的に固定するか、ホルダー枠が刀身表面の刃元付近から切っ先付近に掛けて配するよう柄の適所に固定するかの、何れか一方とすることができる外、鎌の刀身刃元付近、および柄適所の双方に固定可能なものとすることができ、予めホルダー枠を鎌の刀身刃元付近に熔接などによって一体化するようにしたものや、柄の適所にホルダー枠の基端自体を貫通したり、巻着したり、嵌着するなどして固定可能としたり、ネジや口金などを介して固定したりしたものとすることができ、後述する実施例に取り上げてあるように、鎌の刀身刃元適所に貫通した取付け孔、および、該取付け孔に対して装着可能、且つ、ホルダー枠の基端を締付け固定可能なボルト・ナットからなるものとし、該取付け孔は、刀身の焼き入れ処理前に穿設しておくのが望ましいと言える。
しかし、刀身の焼き入れ処理後に、取付け孔を穿孔加工する場合には、刃先に熱的影響を及ぼして軟化させてしまわぬよう配慮して穿設加工を行う必要があり、焼き入れ処理後の刀身に対して、無加工にて取り付けする場合には、鎌の刀身刃元適所か、または鎌の柄先端付近適所かの少なくとも何れか一方に装着可能すると共に、適所にホルダー枠の基端を一体化し、且つ、適所に取付け孔を貫通した取付け金具、および、該取付け孔に装着して同取付け金具を、鎌の刀身刃元適所か、または鎌の柄先端付近適所かの少なくとも何れか一方に固定可能なボルト・ナットからなるものとすることができる。
【００１９】
茎系植物は、茎を立てて生長させ、収穫用の鎌やハサミなどを利用して収穫することができる農作物や山菜などを示し、より具体的には、例えば、アスパラガス、ワラビ、ゼンマイ、セロリ、青ズイキ（ハスイモ）、ふき、ウド、ネギなどの茎菜類や葉茎類などと言うことができる。
【００２０】
この発明の収穫鎌（および収穫用ホルダー）を利用した収穫方法は、地上に立ち姿勢となった作業者が、鎌の柄を把持し、鎌刀身の刃先を、地上に立ち生えた茎系植物の根元付近適所に対応させて掬い上げるように刈り取り、刈り取った瞬間に穂先がわの重みにて倒れ込もうとするモーメント力を利用し、茎系植物の根元付近を、自動的に鎌刀身表面とホルダー枠との間に掛止状に保持させた後、立ち姿勢のままの作業者が、茎系植物を保持した鎌刀身・ホルダー枠を手元に引き寄せて、茎系植物の掛止を外すよう引き上げて収穫するようにしてなるものとするのが良いが、農作業用の椅子や車輪付きの椅子などに着座し、その着座姿勢において操作し易い長の柄を設けた、この発明の収穫鎌を用いて茎系植物を刈り取り、鎌刀身表面とホルダー枠との間に掛止状に保持させた茎系植物を取り外して収穫するようにしてなるものなども、勿論採用可能であることは、言うまでもない。
以下では、図面に示すこの発明を代表する実施例と共に、その構造について詳述することとする。                                                                                                            
【図面の簡単な説明】
【００２１】
図面は、この発明の収穫鎌、収穫用ホルダー、およびそれらを利用する収穫方法の技術的思想を具現化した代表的な幾つかの実施例を示すものである。
【図１】収穫用ホルダーを装着した収穫鎌用刀身表面がわを示す斜視図である。
【図２】収穫用ホルダーを装着した収穫鎌用刀身裏面がわを示す斜視図である。
【図３】収穫用ホルダーを装着した収穫鎌用刀身を示す平面図である。
【図４】この発明の収穫鎌を示す斜視図である。
【図５】収穫用ホルダーの分解状態を示す斜視図である。
【図６】この発明の収穫鎌による刈り取り作業を示す斜視図である。
【図７】刈り取った茎系植物を掛止する収穫鎌を示す斜視図である。
【図８】図７中のＡ−Ａ線部分を示す断面図である。
【図９】一部に変更を加えた収穫用ホルダーの分解状態を示す斜視図である。
【図１０】一部に変更を加えた収穫用ホルダーの装着状態を示す斜視図である。
【図１１】ホルダー枠の一変形例を示す平面図である。
【図１２】ホルダー枠の他の変形例を示す平面図である。
【図１３】ホルダー枠のさらに他の変形例を示す平面図である。
【実施例１】
【００２２】
図１ないし図８に示してある事例は、鎌１使用時に地面がわとなる刀身２裏面２０、および、天空がわとになる刀身２表面２１の中、該刀身２表面２１がわの方に、その刃元２２付近から切っ先２４付近に掛けての峰２６がわに寄った位置で、同表面２１に対して所定角度αで交叉する面内に納まり、且つその表面２１との間に所定の保持間隔５１を確保可能な形状・寸法として形成したホルダー枠５を突設してなるものとした、この発明の収穫鎌における代表的な一実施例を示すものである。
【００２３】
図７および図８に示すように、収穫鎌１は、その刀身２表面２１に対する、ホルダー枠５の納まる面の所定角度αを９０°前後に設定したものとするが、所定角度αは、刀身２の身幅（刃幅）や茎系植物６茎部６０の大きさなどの条件に応じて、６０°（図８中の所定角度α１）ないし１２０°（図８中の所定角度α２）の範囲にて適宜設定することが可能であり、しかもホルダー枠５を突設する峰２６がわに寄った位置が、刀身２の刃先２５を支点にして切断した茎系植物６茎部６０の保持が可能であり、切り取った茎６０を掬い込む操作に支障がない位置とするよう設定してなるものとしてある。
【００２４】
ホルダー枠５は、収穫鎌１の刀身２刃元２２から切っ先２５に掛けた全長中、中途適所の１箇所かまたは複数箇所かの何れかに、該刀身２表面２１との保持間隔５１を、茎系植物６茎部６０の直径よりも狭めた挟持枠部５２を設けると共に、同刀身２刃元２２から切っ先２５に掛けた全長中、該挟持枠部５２を挟む、刃元２２がわと切っ先２５がわとの夫々に１箇所ずつ合計２箇所に、該刀身２表面２１との保持間隔５１を、茎系植物６茎部６０の掛止に適した大きさに拡大してなるキャッチ枠部５３，５３を設けたものとし、図８に示すように、各キャッチ枠部５３，５３は、何れも、ホルダー枠５の納まる面の所定角度α（α１〜α２）の設定変化に伴い変化する、最大保持間隔５１の距離ＬないしＬ１が、何れも茎系植物６茎部６０の直径を上回り、容易に収容して引っ掛けることができるよう寸法設定したものとし、さらにまた、図４および図７に示すように、当該収穫鎌１刀身２には、作業者が立ち姿勢にて地上の植物を刈り取り収穫可能な程度に長尺な柄１０を一体化したものとしてある。
【００２５】
この発明の収穫鎌１は、刀身２を鍛造加工する段階にてホルダー枠５を一体化したものや、刀身２の焼き入れなどの熱処理の前後に熔接などによって一体化してなるものとすることなどが可能である外、図１ないし図８からも明確に把握できるとおり、一般的な収穫鎌１に、この発明の収穫用ホルダー３を組み込んでなるものとすることができる。
【００２６】
同図１ないし図８に示すように、この発明の収穫用ホルダー３は、アスパラ切り用の刃渡り１０ｃｍ前後とした鋸刃を有してなる鎌１の刀身２刃元２２付近に固定可能な固定機構４を設け、該固定機構４を介して、鎌１使用時に地面に面する刀身２裏面２０、および、空に向かう刀身２表面２１の中、該刀身２表面２１がわ刃元２２付近のあご２３近傍に固定した場合に、刀身２表面２１の刃元２２付近から切っ先２４付近に掛けて、刃先２５にて刈り取った茎系植物６を、瞬時に保持可能とするよう、該刀身２表面２１との間に保持間隔５１を確保可能な形状・寸法としたホルダー枠５を組み込み可能としてなるものとすることができる。
【００２７】
同図１ないし図８に示しているように、固定機構４は、鎌１の刀身２刃元２２適所に貫通した直径約４ｍｍの取付け孔４０、および、該取付け孔４０に対して装着可能で、且つ、ホルダー枠５の基端５０を締付け固定可能な呼び径３．５ｍｍのボルト・ナット（４１，４２）およびワッシャー４３からなるものとし、ホルダー枠５は、外径３．５の合成樹脂被膜を有する細棒状の銅線からなり、装着対象鎌１の刀身２刃元２２から切っ先２４に掛けた全長中、中途適所の１箇所に、該刀身２表面２１との保持間隔５１を狭めた挟持枠部５２を設けると共に、該装着対象鎌１の刀身２刃元２２から切っ先２４に掛けた全長中、該挟持枠部５２の前後に隣接配置状となる２箇所夫々に、該刀身２表面２１との保持間隔５１を拡大してなるキャッチ枠部５３，５３を設けるよう折曲加工し、その基端５０を呼び径３．５ｍｍのボルト４１の軸部に巻き付け状に組み込み可能とするよう環状に折曲加工してなるものとし、さらに、先端５４を、該刀身２切っ先２４近傍の表面２１に対して略垂直に当接するように組み合わせ可能なものとして、刃元２２寄りに配するキャッチ枠部５３の最大保持間隔５１（図８中のＬ１）を約２１ｍｍ、切っ先２４寄りに配するキャッチ枠部５３の最大保持間隔５１（図８中のＬ１）を約２４ｍｍに夫々設定したものとしてある。
【００２８】
同図１ないし図８に示している、この発明の収穫鎌１は、その柄１０が長さ５０ｃｍから１２０ｃｍとするのが良く、ゴルフクラブのパターからヘッド部分を切除したシャフト部分１０先端１１に、アスパラ切り用の刃渡り１０ｃｍ前後の鋸刃を有する刀身２を適宜角度にて装着し、強固に一体化してなるものとし、該鎌１の刀身２表面２１がわから、刃元２２付近の取付け孔４０に、ボルト４１を装着すると共に、ホルダー枠５基端５０の環状折曲部分を共締めするよう組合せた上、同刀身２裏面２０がわ（取付け孔４０）に露出させた該ボルト４１先端に、ワッシャー４３およびナット４２を装着して締付け固定し、刀身２表面２１の刃元２２付近から切っ先２４付近に掛けて、刀身２表面２１との間に保持間隔５１を確保するよう配した挟持枠部５２およびキャッチ枠部５３，５３を設けるよう、この発明の収穫用ホルダー３（ホルダー枠５）を装着してなるものである。
【００２９】
図９および図１０に示すとおり、この発明の収穫鎌１およびそれに利用する収穫用ホルダー３は、固定機構４が、鎌１の刀身２に取付け孔４０を穿設せず、１０ｍｍ幅前後の帯状金属板を、鎌１刀身２刃元２２に対応する刃先２５がわから、裏面２０および表面２１がわに跨り、峰２６の外がわまで延伸するよう、二股に折り曲げた取付け金具４４を有し、該取付け金具４４の刃元２２の外がわ配置となる両端に、同心上直径約４ｍｍの取付け孔４０，４０を穿設し、鎌１刀身２表面２１がわ配置となる取付け孔４０近傍箇所に、ホルダー枠５の基端５０を熔接によって一体化し、各取付け孔４０，４０には、呼び径３．５ｍｍのボルト・ナット（４１，４２）およびワッシャー４３を組み込み可能としてなるものとし、図１０に示してあるように、鎌１刀身２刃元２２付近の適所に、取付け金具４４を介して着脱可能に組み込み、この発明の収穫鎌１とすることができる。
【００３０】
この発明の収穫鎌１およびそれに利用する収穫用ホルダー３は、図１１に示してあるとおり、ホルダー枠５が、装着対象鎌１の刀身２刃元２２から切っ先２４に掛けた全長中の、中央１箇所に挟持枠部５２を設け、該挟持枠部５２を境にして、刀身２刃元２２がわと切っ先２４がわとの双方に、互いに対象形状となる２個のキャッチ枠部５３，５３を設けるよう折曲加工してなるものとすることができる外、図１２のように、ホルダー枠５が挟持枠部５２を持たず、１個のキャッチ枠部５３のみを設けたものとすることが可能であり、また、図１３に示すように、２個以上の挟持枠部５２，５２，……、および、それら挟持枠部５２，５２，……を挟み隣接する３個以上のキャッチ枠部５３，５３，……を設けたものとすることが可能である。
【００３１】
（実施例１の作用・効果）
以上のとおりの構成からなるこの発明の収穫鎌１、およびそれに利用する収穫用ホルダー３を使用すれば、以下のように、この発明の収穫方法を実施し、茎系植物６であるアスパラガス６を、作業者が立ち姿勢のまま簡単且つ効率的に収穫可能となる。
【００３２】
図６ないし図８に示すように、この発明の収穫鎌１の柄１０を把持した作業者（図示せず）が地上に立ち姿勢となり、鎌１刀身２の刃先２５を、地上に立ち生えたアスパラガス（茎系植物）６の根元６２付近適所に対応させ、同図６中の白抜き矢印に示すよう、掬い上げるようにして刈り取ると、その瞬間にアスパラガス６の穂先６１がわが、その重みによって刃先２５を支点にして倒れ込もうとするが、当該ホルダー枠５（収穫用ホルダー３）が阻止し、鎌１刀身２表面２１上に乗って峰２６がわに転がり落ちようとするアスパラガス６の根元６２付近を、自動的に鎌１刀身２表面２１とホルダー枠５との間に設けた保持間隔５１の中の、挟持枠部５２にて仕切られた２個のキャッチ枠部５３，５３の何れか、切断刃先２５範囲に対応近接した一方に誘導し、図７に示してあるとおり、その一方のキャッチ枠部５３、挟持枠部５２および鎌１刀身２表面２１の間に、例えば、倒れ込み傾斜姿勢となったアスパラガス６の根元６２付近をキャッチ枠部５３に、同アスパラガス６の根元６２付近よりも僅かに穂先６１寄りとなる中途適所を、挟持枠部５２に、夫々同アスパラガス６の倒れ込みの際のモーメント力Ｆを利用して掛止状に引っ掛け、鎌１刀身２表面２１との間に脱落しないよう自動的に保持させるようにした後で、立ち姿勢のままの作業者が、アスパラガス６を保持した鎌１刀身２（収穫用ホルダー３）を手元に引き寄せて引っ掛け状に保持させたアスパラガス６を、引き上げるよう外して簡単に収穫することが可能となる。
【００３３】
図９および図１０に示すように、収穫用ホルダー３の固定機構４に取付け金具４４を設け、該取付け金具４４に対してホルダー枠５を一体化してなるものは、鎌１刀身２に無加工にて組み込むことが可能となり、市販されている鎌や、使用中の鎌などに誰でも簡単に取り付けることができるから、収穫用ホルダー３のみを単独の商品として販売することができる上、刀身２や刃先２５などの形状・寸法の異なる各種の鎌１に、夫々使用時のみ装着し、当該収穫用ホルダー３が不要な場合には、簡単に取り外して別の鎌に付け変えて利用することができるものとなり、格段に経済的な利用が可能となり、ホルダー枠５などの部品が老朽化したり破損したりした場合にも、鎌１ごと廃棄する必要がなく、破損部品だけを新たな部品に交換するだけで永く利用することができ、極めて経済的なものとすることができる。
【００３４】
図１２に示しているように、挟持枠部５２をもたず、１個のキャッチ枠部５３のみを有する収穫用ホルダー３を組み込んでなるようにした収穫鎌１は、鎌１刀身２表面２１と１個のキャッチ枠部５３との間に設けた保持間隔５１内に、刈り取って傾斜状となったアスパラガス６を掛止可能なものとし、また、図１３に示すもののように、２個以上の挟持枠部５２，５２，……、および、それら挟持枠部５２，５２，……を挟み隣接する３個以上のキャッチ枠部５３，５３，……を設けた収穫用ホルダー３を組み込んでなる収穫鎌１は、各挟持枠部５２，５２，……、キャッチ枠部５３，５３，……および鎌１刀身２表面２１の、何れか切断刃先２５範囲に対応近接した１箇所のキャッチ枠部５３に、刈り取って傾斜状となったアスパラガス６を自動的に誘導し、この１箇所のキャッチ枠部５３、その両がわに隣接する一対の挟持枠部５２，５２、および鎌１刀身２表面２１の間に、同アスパラガス６の根元６２付近、およびそれよりも僅かに穂先６１寄りとなる中途適所を掛止して自動的に保持可能なものとすることができる。
【００３５】
（結  び）
叙述の如く、この発明の収穫鎌、収穫用ホルダー、およびそれらを利用する収穫方法は、その新規な構成によって所期の目的を遍く達成可能とするものであり、しかも製造も容易で、従前からの収穫機器技術に比較して大幅に部品点数を削減して耐久性を高め、軽量且つ低廉化して遥かに経済的なものとすることができる上、稼働部品がないために殆どメンテナンスが不要となる上、持ち運びや収穫作業中の作業者への労働負担を最小限度に留め、長時間の収穫作業を軽快に実施することができるものとなるから、従前までは、作業者自らが圃場や山野に屈み込み、手作業で収穫しなければならないか、または、複雑な挟持機構などが組み込まれ、そのために高価で重量の嵩んでしまった収穫機器を移動させながら収穫作業を行うかの何れかの選択しかなく、何れも多大な労力を要するものとなってしまっていた農家は固よりのこと、こうした農家に農業用機器類を提供する農機具業界やホームセンターにおいて、さらには、家庭農園や山菜採りを楽しむ一般家庭においても高く評価され、広範に渡って利用、普及していくものになると予想される。                                                          
【符号の説明】
【００３６】
１      収穫鎌（鎌）
１０    同  柄
１１    同  先端
２      刀身
２０    同  裏面
２１    同  表面
２２    同  刃元
２３    同  あご
２４    同  切っ先
２５    同  刃先
２６    同  峰
３      収穫用ホルダー
４      固定機構
４０    同  取付け孔
４１    同  ボルト
４２    同  ナット
４３    同  ワッシャー
４４    同  取付け金具
５      ホルダー枠
５０    同  基端
５１    同  保持間隔
Ｌ    同  最大保持間隔距離
Ｌ１    同  最大保持間隔距離
５２    同  挟持枠部
５３    同  キャッチ枠部
５４    同  先端
α      所定角度９０°
α１    同  所定角度６０°
α２    同  所定角度１２０°
６      アスパラガス（茎系植物）
６０    同  茎部
６１    同  穂先
６２    同  根元
Ｆ      モーメント力                                                                                              
【図１】
2014128199.tif 000003
【図２】
2014128199.tif 000004
【図３】
2014128199.tif 000005
【図４】
2014128199.tif 000006
【図５】
2014128199.tif 000007
【図６】
2014128199.tif 000008
【図７】
2014128199.tif 000009
【図８】
2014128199.tif 000010
【図９】
2014128199.tif 000011
【図１０】
2014128199.tif 000012
【図１１】
2014128199.tif 000013
【図１２】
2014128199.tif 000014
【図１３】
2014128199.tif 000015